Podtech/llm-jp-corpus-v4-ja_patent huggingface dataset:
(57)【要約】      （修正有）【課題】衣類（下着、靴下等も含む）を畳む際のよれ等の防止、収納の時、下から上に重ねた際、下の衣類等を一目で全体の把握ができない不便性を解消した衣類用収納シートを提供する。【解決手段】長方形の１つのシート１に折り目を入れたもの、もしくは同サイズの２つのシートをつないだもので、片方のみ左右切り込み２を入れてゴム３をつけた形にし、動きのある衣類等をある一定の形で芯を作りキープすることで立てて収納したり整頓の向上を特徴とする。【選択図】図１
0003195795.tif 000002
【実用新案登録請求の範囲】
【請求項１】
長方形の１つのシートに折り目を入れたもの、もしくは同サイズのシートを２つテープ等でつなぎ１つのシートにしたもので片方のみ左右切り込みを入れゴムをつけて二つ折りできることを特徴とする衣類用収納シート。
【考案の詳細な説明】
【技術分野】
【０００１】    本考案は衣類に関するものであり、衣類（下着、靴下等も含む）を畳む際ある一定の大きさに畳み綺麗に立てて並べる整頓や収納できるようにしたものである。
【背景技術】
【０００２】    衣類をタンスや収納ボックス類に収納する際、ある一定の大きさに揃えて畳み整えるのが面倒である。また、畳んで重ねて収納するのが大半であり、上から見た時下にどんな衣類があるのか把握できないことである。
【考案の開示】
【考案が解決しようとする課題】
【０００３】    衣類を畳む際畳み方がわからなかったり、畳む時によれたりする。また、収納する際重ねると下にどんな衣類があるのか把握できないことと重ねたものの間の衣類を取る際、他の衣類もつられてよれて畳んだ形状が壊れることもある。
このような不都合を解決し、より簡単に作業性を向上させることそして整頓を高めることを課題とする。
【課題を解決させるための手段】
【０００４】    この課題を解決するために長方形の１つのシートに折り目を入れたもの、もしくは同サイズの２つのシートをテープ等でつなぎ１つのシートの片方のみ左右切り込みを入れゴムをつけて二つ折りできることを特徴とする衣類用収納シートを考案した。（図１）
この収納シートを衣類の上に使用することでシートから出る衣類部分をシートの上に折り曲げてシートを二つ折りすることで簡単に畳むことができる。
また、ある一定の大きさに畳めることで整頓しやすくゴムでとめることで形状をキープでき並べて立てることができる。立てて並べて収納したものを一目で把握できる。
【考案の効果】
【０００５】    本考案の衣類用収納シートを使用することにより、衣類を簡単にある一定の大きさで畳むことができる。また、シートの二つ折りを利用することでコンパクトにできる。
【０００６】    ゴムを利用することでよれを防止し畳んだ形状をキープしながら並べて立てて、整頓・収納できる。整頓された状態で簡単に取り出すことができる。
【０００７】    １つのシートの間につなぎを入れてシートの動きをスムーズにすることで畳むときは平らにまっすぐな形で収納の際は二つ折り、また使用する時はまっすぐと何度も利用でき、シートの形を戻すときの時間短縮、経済的にも効果である。
【考案実施するための最良の形態】
【０００８】    図１は収納棚ボックス等に収納できるサイズでまた服・靴下等と使いやすい様々なサイズを提案し，形状は長方形の１つのシートに折り目を入れたもの、もしくは同サイズの２つのシートをテープ等でつないだもので片方のみ左右切り込みを入れてゴムをつけて二つ折りできることを特徴とする衣類用収納シートの平面図である。
【０００９】    図２は本考案を衣類等の上に置く使用状態を示す平面図である。同図に示すように衣類の下を折り、シートから出ている部分をシートの内側折り重ねることができる。
【００１０】    図３は本考案を二つ折りにした使用状態を示す平面図である。ゴムでとめることができ、常に折り畳んだ形状を綺麗にキープできる。
【００１１】    素材は固さのある厚紙等もしくは、ＰＰシート（ポリプロピレンシート）で、フォルダー・化粧ケース・クリアケースなどで幅広く使用されており、無公害素材のシートで、透明性・耐久性・耐寒性に優れているものである。
【図面の簡単な説明】
【００１２】
【図１】  長方形の１つのシートに折り目を入れたものと同サイズの２つのシートをつなぎ１つのシートの片方のみ左右切り込みとゴムをつけた形の平面図である。
【図２】  本考案を衣服等での使用状態を示す平面図である。
【図３】  本考案を二つ折りにした使用状態を示す平面図である。
【符号の説明】    １      シート
２      切り込み箇所
３      ゴム
４      つなぎ部分
５      衣類
【図１】
0003195795.tif 000003
【図２】
0003195795.tif 000004
【図３】
0003195795.tif 000005
(57)【要約】      （修正有）【課題】リュックの全箇所に浮力のある素材を使用し、背負う人間の体全体に浮力が行き渡り、水に浸っても背負った人間をしっかり浮かせる事ができる水に浮くリュックを提供する。【解決手段】リュックの全箇所に厚さ２０ｍｍのＥＶＡを挟み込み、胸、腰、股下固定ベルト１の３箇所で体にしっかり固定させる事により、背負う人間の体全体に浮力を行き渡らせる事を実現する。【選択図】図１
0003195791.tif 000002
【実用新案登録請求の範囲】
【請求項１】
リュックの全箇所にＥＶＡを挟み込み、股下固定ベルトを設けた、水に浮くリュック
【考案の詳細な説明】
【技術分野】
【０００１】本考案は、リュックの全箇所にＥＶＡを挟み込み、股下固定ベルトを設けた、水に浮くリュックに関するものである。
【背景技術】
【０００２】従来、水に浮くリュックは、リュックの一部に浮力のある素材を使用していた。
【考案の概要】
【考案が解決しようとする課題】
【０００３】従来の浮くリュックは、本体の一部やショルダー部分のみに浮力のある素材を使用していた為、背負う人間の体全体に浮力が行き渡らない事が多かった。
【課題を解決するための手段】
【０００４】本考案は、リュックの全箇所に厚さ２０ｍｍのＥＶＡ（熱可塑性合成樹脂）を挟み込み、胸、腰、股下固定ベルトの３箇所で体にしっかり固定させる事により、背負う人間の体全体に浮力を行き渡らせる事を実現する。
【考案の効果】
【０００５】ＥＶＡは、水を吸い難い素材であり、そのＥＶＡをリュックの全箇所に挟み込み、チェストベルト、ウエストベルトと考案された股下固定ベルトの３箇所で体にしっかり固定させる事により、浮力が背負う人間の体全体に行き渡り、水に浸かっても背負った人間をしっかり浮かせる事を実現する。
【図面の簡単な説明】
【０００６】
【図１】本考案の股下固定ベルト付きフロートパックの全体図である。
【図２】股下固定ベルト付きフロートパックの背面図である。
【図３】股下固定ベルト付きフロートパックのメイン荷室を開けた図である。
【図４】リュック本体の生地の断面図である。
【図５】股下固定ベルト付きフロートパックを背負った時の正面図である。
【図６】股下固定ベルト付きフロートパックを背負った時の側面図である。
【考案を実施するための形態】
【０００７】図１にある１が股下固定ベルトであり、図５と図６の様に股下を通して、ウエストベルトに固定する事により、リュックが体にしっかり固定される。
【実施例】
【０００８】リュックを背負った状態で、図２の２のチェストベルトと３のウエストベルトを装着する。【０００９】図１の１の股下固定ベルトを図２の４の股下固定ベルトの受け金具に装着し、たるみを調節する。
しっかり体に固定した状態が図５と図６であり、浮力が体に伝わり、背負った人間が完全に浮く事が可能になる。
【符号の説明】
【００１０】１  股下固定ベルト
２  チェストベルト
３  ウエストベルト
４  股下固定ベルトの受け金具
【図１】
0003195791.tif 000003
【図２】
0003195791.tif 000004
【図３】
0003195791.tif 000005
【図４】
0003195791.tif 000006
【図５】
0003195791.tif 000007
【図６】
0003195791.tif 000008
(57)【要約】      （修正有）【課題】ＬＥＤ光源からの光をソーラーパネルに照射して発電すると同時に、照明装置として利用する場合、ＬＥＤの発光効率の向上を有効利用して、発電効率の向上を図るＬＥＤ発電照明装置を提供する。【解決手段】ソーラーパネルの形状を受光面２を内側にした、三角柱体、四角柱体、六角柱体、円柱体といった柱体形状とし、その柱体内部にＬＥＤ光源１を配置し受光面２全体に照射して発電するとともに、柱体底部を開口状態に出来るようにすることで、照明装置として機能することになる。【選択図】図１
0003195799.tif 000002
【実用新案登録請求の範囲】
【請求項１】
ソーラーパネルの形状を受光面を内側にした三角柱体形状とし、その柱体内部にLED光源を配置し底部を開口状態に出来る、LED発電照明装置。
【請求項２】
ソーラーパネルの形状を受光面を内側にした四角柱体形状とし、その柱体内部にLED光源を配置し底部を開口状態に出来る、LED発電照明装置。
【請求項３】
ソーラーパネルの形状を受光面を内側にした六角柱体形状とし、その柱体内部にLED光源を配置し底部を開口状態に出来る、LED発電照明装置。
【請求項４】
ソーラーパネルの形状を受光面を内側にした円柱体形状とし、その柱体内部にLED光源を配置し底部を開口状態に出来る、LED発電照明装置。
【請求項５】
ソーラーパネルの形状を受光面を内側にした柱体形状とし、その柱体内部にLED光源を配置し底部を開口状態に出来る、LED発電照明装置。
【考案の詳細な説明】
【技術分野】
【０００１】
本考案は、ソーラーパネルとLED光源との組み合わせによる、LED発電照明装置に関するものである。
【背景技術】
【０００２】
LEDの発光効率の向上とともに、ソーラーパネルにLED光源からの光を照射する場合の発電効率も向上するものと見込まれる。
【０００３】
しかし、平型形状のソーラーパネルでは、受光面を広くすればLED光源を増やす必要があり、効率的な発電をするには適さない。
【先行技術文献】
【特許文献】
【０００４】
【特許文献１】特許公開２０１３−５８７３６
【０００５】
少数のLED光源で、効率的な発電をするにはソーラーパネルの形状を変えることで、受光面を広くする必要がある。
【０００６】
ソーラーパネルの形状を受光面を内側にした、三角柱体、四角柱体、六角柱体、円柱体といった、柱体形状とし、その柱体内部にLED光源を配置する。
【０００７】
LED光源からの光を、その柱体内部のソーラーパネルの受光面全体に照射させ、発電装置として機能することになる。
【０００８】
同時に、柱体底部を開口状態にすることにより、LED光源からの光を発散させ、照明装置として機能することになる。
【図面の簡単な説明】
【０００９】
【図１】ソーラーパネルの形状を受光面を内側にした三角柱体形状とし、その柱体内部にLED光源を配置するLED発電照明装置において、柱体底部を開口状態にした斜視図である。
【図２】ソーラーパネルの形状を受光面を内側にした三角柱体形状とし、その柱体内部にLED光源を配置するLED発電照明装置において、柱体底部を開口状態にした底部正面図である。
【図３】ソーラーパネルの形状を受光面を内側にした四角柱体形状とし、その柱体内部にLED光源を配置するLED発電照明装置において、柱体底部を開口状態にした斜視図である。
【図４】ソーラーパネルの形状を受光面を内側にした四角柱体形状とし、その柱体内部にLED光源を配置するLED発電照明装置において、柱体底部を開口状態にした、底部正面図である。
【図５】ソーラーパネルの形状を受光面を内側にした六角柱体形状とし、その柱体内部にLED光源を配置するLED発電照明装置において、柱体底部を開口状態にした斜視図である。
【図６】ソーラーパネルの形状を受光面を内側にした六角柱体形状とし、その柱体内部にLED光源を配置するLED発電照明装置において、柱体底部を開口状態にした、底部正面図である。
【図７】ソーラーパネルの形状を受光面を内側にした円柱体形状とし、その柱体内部にLED光源を配置するLED発電照明装置において、柱体底部を開口状態にした斜視図である。
【図８】ソーラーパネルの形状を受光面を内側にした円柱体形状とし、その柱体内部にLED光源を配置するLED発電照明装置において、柱体底部を開口状態にした、底部正面図である。
【符号の説明】
【００１０】
１    LED光源
２    ソーラーパネルの受光面
【図１】
0003195799.tif 000003
【図２】
0003195799.tif 000004
【図３】
0003195799.tif 000005
【図４】
0003195799.tif 000006
【図５】
0003195799.tif 000007
【図６】
0003195799.tif 000008
【図７】
0003195799.tif 000009
【図８】
0003195799.tif 000010
(57)【要約】      （修正有）【課題】濡れると文字や図柄が浮かび上がり、楽しく使用できるハンカチを提供する。【解決手段】ハンカチ１の生地表面に文字４や図柄５を、撥水剤とバインダーを含有する無色透明のインキで印刷する。ハンカチで濡れた手を拭くたびに、撥水加工を施した文字や図柄部分と、そうでない濡れた生地部分３に濃淡が生じ、文字や図柄が判別できるようになる。文字や図柄を使用者の興味を引くものにしておくと、ハンカチで手を拭くのが楽しいものとなる。【選択図】図１
0003195763.tif 000002
【実用新案登録請求の範囲】
【請求項１】
撥水剤とバインダーとを含有する無色透明のインキで、生地表面の一部に文字または図柄が印刷された、ハンカチ。
【請求項２】
前記生地が、綿番手が２０番手〜６０番手の糸を使用し、１１０本〜１８０本／インチの打ち込み本数で製織されたものであることを特徴とする、請求項１に記載のハンカチ。
【考案の詳細な説明】
【技術分野】
【０００１】
本考案は、ハンカチの加飾に関するものである。
【背景技術】
【０００２】
これまで、ハンカチに色変化する機能を加えたものとして、空気中の酸素や紫外線に触れると色変化するものや、温度・湿度の変化により色変化するもの、消臭機能を有する繊維製品において臭気成分の吸着により色変化するものが存在する（例えば、特許文献１及び２参照）。
【先行技術文献】
【特許文献】
【０００３】
【特許文献１】実用新案登録第３０４７０１８号公報
【特許文献２】実用新案登録第３１１１５３６号公報
【考案の概要】
【考案が解決しようとする課題】
【０００４】
特許文献１及び２に記載のハンカチは、ハンカチを使用する一番の目的である、手を拭くという行為とは関係なく色変化させるものであるため、ハンカチを使用する際のおもしろさに欠けている。
【０００５】
本考案は、濡れた手を拭くという行為に伴ってハンカチに色変化を起こすことによって、ハンカチの使用を楽しくすることを課題とする。
【課題を解決するための手段】
【０００６】
本考案に係るハンカチは、撥水剤とバインダーを含有する無色透明のインキで、生地の表面の一部に文字や図柄を印刷したものである。
【考案の効果】
【０００７】
本考案によれば、濡れた手を拭くという行為に伴ってハンカチに色変化を起こすことによって、ハンカチの使用を楽しくすることができる。
【図面の簡単な説明】
【０００８】
【図１】（ａ）は乾燥状態のハンカチの平面図、（ｂ）はハンカチを濡らした状態の平面図
【考案を実施するための形態】
【０００９】
図１は、実施形態に係るハンカチの平面図である。より詳細には、図１（ａ）は乾燥状態のハンカチの平面図であり、図１（ｂ）は濡らした状態のハンカチの平面図である。
【００１０】
本考案に係るハンカチ１は、撥水剤とバインダーとを混合した無色透明のインキで、生地２の表面に文字４や図柄５（図１（ｂ）参照）を印刷したものである。
【００１１】
ハンカチ用の生地２は、特に限定されないが、吸水性がよいことから綿を使用することが好適である。生地２に綿を使用する場合は、綿番手が２０番手〜６０番手の糸で、１１０本〜１８０本／インチ（２．５４ｃｍ）の打ち込み本数で製織されたものが使用できる。綿番手が２０番手よりも小さくなると、生地２が分厚くなりすぎてハンカチとしては使用しづらく、綿番手が６０番手より大きくなると、生地２が薄くなりすぎて吸水性に欠けるため、ハンカチには適さない。
【００１２】
文字４や図柄５の印刷に使用するインキは、撥水剤とバインダーとを少なくとも含有する無色透明のものとする。撥水剤としては、例えば、フッ素系撥水撥油剤等を使用できる。バインダーとしては、例えば、アクリル水性樹脂バインダー等の樹脂材料を使用できる。インキには、撥水剤及びバインダーの他に分散剤、酸化防止剤、紫外線吸収剤、消泡剤、帯電防止剤、可塑剤、潤滑剤等の補助剤や溶剤を適宜添加してもよい。印刷方法は特に限定されないが、スクリーン印刷を好適に利用できる。印刷の範囲は、生地２の表面の一部である限り任意に設定することができるが、印刷面の吸水性を損なわない程度とする。文字４や図柄５は、ベタ塗りで印刷しても良いし、所定ピッチで配列される複数のドットパターンやストライプパターンで印刷しても良い。
【００１３】
図１（ａ）に示すように、撥水剤を含む上記のインキは無色透明であるため、ハンカチ１が乾いた状態では、印刷された文字や図柄を識別することが困難である。ハンカチ１の生地２を濡らすと、撥水剤を含むインキで印刷が施されていない部分が吸水して色が濃くなるのに対し、撥水剤を含むインキで印刷された文字４や図柄５の部分は水を弾くため、色変化が生じない。したがって、図１（ｂ）に示すように、濡れた部分３と、撥水剤を含むインキで印刷された文字４や図柄５の部分とで色の濃淡ができるため、文字４及び図柄５が判別できるようになる。具体的に、図１（ｂ）に示す例では、濡れた部分３の中に、「うさぎようちえん  そとであそんだあとは、てあらい、うがいをしようね」という文字４と、ウサギの図柄５とが、生地２の乾燥状態とほぼ同じ色で浮かび上がっている。
【００１４】
以上説明したように、本考案に係るハンカチ１では、洗って濡れた手を拭くという行為に伴って生地２の表面に文字４や図柄５が現れ、ハンカチが乾くと文字４や図柄５が消える。手を洗って拭くたびにハンカチ１に印刷された文字４や図柄５が見えるので、ハンカチで手を拭くのを楽しいものとすることができる。
【００１５】
例えば、子供用のハンカチには、子供たちの興味を引くような絵や文字を印刷しておく。これによって、子供たちは、楽しみながら、ハンカチの携帯、使用、手洗い励行等を習慣づけることができる。また、文字や図柄を、交通安全スローガン等の標語や教訓、ことわざ等を表すものにすれば、子供たちの道徳心を育む教育効果を得ることができる。また、漢字の筆順、九九、アルファベット等、文字や図柄の内容によっては学習の効果も期待することができる。
【００１６】
なお、上記の実施形態では、文字４や図柄５を構成する部分に撥水剤を含むインキを印刷する例を説明したが、文字や図柄を構成する部分にはインキを印刷せず、文字４や図柄５を構成する非撥水部分の周囲にインキを印刷してもよい。このように構成した場合、ハンカチ１が濡れたときに、文字や図柄の部分が濃くなる一方で、文字や図柄の周囲の部分が色変化しないため、図１（ｂ）の状態と比べて濃淡が反転した状態で文字や図柄を表示できる。
【００１７】
また、本考案に係るハンカチは、企業の広告や販促品（ノベルティ）としても利用できるし、バレンタインデーや母の日等のイベント時のギフト等にも利用できる。
【符号の説明】
【００１８】
１    ハンカチ
２    生地
３    濡れた部分
４    文字
５    図柄
【図１】
0003195763.tif 000003
(57)【要約】【課題】緩衝用スペーサの耐久性に優れた配管固定装置を提供する。【解決手段】配管２を押え込んで基材３に固定するためのＵボルト１と、該配管２と基材３との間に介在される緩衝用スペーサ６とを有し、該緩衝用スペーサ６には、Ｕボルト１の脚部１ａ，１ｂが挿通される孔６ａ，６ｂが設けられている。緩衝用スペーサ６はカーボン配合高密度ポリエチレン製である。【選択図】図１
0003195767.tif 000002
【実用新案登録請求の範囲】
【請求項１】
配管を押え込んで基材に固定するためのＵボルト又はＵバンドと、
該配管と基材との間に介在される緩衝用スペーサとを有し、
該緩衝用スペーサには、Ｕボルト又はＵバンドの脚部が挿通される孔又はスリットが設けられている配管固定装置において、
該緩衝用スペーサがポリエチレン製であることを特徴とする配管固定装置。
【請求項２】
請求項１において、緩衝用スペーサが高密度ポリエチレン製であることを特徴とする配管固定装置。
【請求項３】
請求項１又は２において、前記緩衝用スペーサにカーボンが配合されていることを特徴とする配管固定装置。
【考案の詳細な説明】
【技術分野】
【０００１】
本考案は、配管をアングル、チャンネルなどの基材にＵボルトやＵバンド（以下Ｕボルト等）を用いて固定するための配管固定装置に係り、特に配管と基材との間に緩衝用スペーサを介在させる配管固定装置に関する。
【背景技術】
【０００２】
配管特に樹脂配管をアングル、チャンネルなどの基材に固定するための配管固定装置としてＵボルト等を用いたものがある。Ｕボルト等を用いて樹脂配管をアングル等に固定する場合、樹脂配管とアングル等との間にゴム板を介在させることがある。この場合、ゴム板は、落下しないようにアングル等に接着される。
【０００３】
図４は、Ｕボルト１を用いた樹脂配管２の固定構造の従来例を示す断面図である。
【０００４】
配管２が基材３に沿って配置され、この配管２を押え込むようにＵボルト１の脚部１ａ，１ｂが基材３の孔３ａ，３ｂに挿通され、ナット４が締め込まれている。Ｕボルト１の配管２との接触部には、必要に応じゴム、樹脂などよりなるライニング１ｃが設けられている。
【０００５】
配管２と基材３との間に緩衝用スペーサ５が介在されている。この図４の構造では、緩衝用スペーサ５の長さは脚部１ａ，１ｂ間のスパンよりも小さく、緩衝用スペーサ５は脚部１ａ，１ｂ間に配置されている。この従来例では、緩衝用スペーサ５が基材３に接着されることにより、緩衝用スペーサ５のズレや脱落が防止されている。しかしながら、接着剤が経年劣化すると、緩衝用スペーサが落下するおそれがある。また、緩衝用スペーサ５がゴム製であると、それ自体の劣化により切れて落下することがある。さらに配管２の熱伸縮のくり返しにより緩衝用スペーサ５が少しずつずれて外れてしまうこともある。
【０００６】
なお、実開平５−４７６６８及び特開２００４−２５４４６２には、緩衝用スペーサに孔を設け、Ｕボルトの脚部をこの緩衝用スペーサの孔に挿通する構造が示されている。
【先行技術文献】
【特許文献】
【０００７】
【特許文献１】実開平５−４７６６８
【特許文献２】特開２００４−２５４４６２
【考案の概要】
【考案が解決しようとする課題】
【０００８】
従来、孔付きの緩衝用スペーサとしてＰＰ（ポリプロピレン）製のものが市販されているが、使用実績では割れるなどの問題がある。
【０００９】
本考案は、緩衝用スペーサの耐久性に優れた配管固定装置を提供することを目的とする。
【課題を解決するための手段】
【００１０】
本考案の配管固定装置は、配管を押え込んで基材に固定するためのＵボルト又はＵバンドと、該配管と基材との間に介在される緩衝用スペーサとを有し、該緩衝用スペーサには、Ｕボルト又はＵバンドの脚部が挿通される孔又はスリットが設けられている配管固定装置において、該緩衝用スペーサがポリエチレン製であることを特徴とするものである。
【００１１】
ポリエチレンとしては、高密度ポリエチレンが好ましい。また、カーボン配合品が好ましい。
【考案の効果】
【００１２】
本考案の配管固定装置では、緩衝用スペーサに孔又はスリットが設けられ、この孔又はスリットにＵボルト又はＵバンドの脚部が挿通されているので、緩衝用スペーサの脱落が防止される。また、本考案では、この緩衝用スペーサがポリエチレン製であるため、耐久性も良好である。
【図面の簡単な説明】
【００１３】
【図１】実施の形態に係る配管固定装置の使用状態を示す断面図である。
【図２】実施の形態に係る配管固定装置の使用状態を示す斜視図である。
【図３】実施の形態に係る配管固定装置の使用状態を示す斜視図である。
【図４】従来例に係る配管固定装置の使用状態を示す断面図である。
【考案を実施するための形態】
【００１４】
以下、図面を参照して実施の形態について説明する。
【００１５】
図１は実施の形態に係る配管固定装置の使用状態を示す断面図であり、配管２が基材３に沿って配置され、この配管２を押え込むようにＵボルト１の脚部１ａ，１ｂが基材３の孔３ａ，３ｂに挿通され、ナット４が締め込まれている。本実施形態においては、Ｕボルト１の配管２との接触部には、ゴム、樹脂などよりなるライニング１ｃが設けられている。
【００１６】
この実施の形態では、配管２と基材３との間に介在される緩衝用スペーサ６が、脚部１ａ，１ｂ間のスパンよりも長いものとなっており、緩衝用スペーサ６に脚部１ａ，１ｂを挿通するための孔６ａ，６ｂが設けられている。脚部１ａ，１ｂは、この孔６ａ，６ｂから基材３の孔３ａ，３ｂに挿通され、ナット４が締め込まれている。
【００１７】
この緩衝用スペーサ６はポリエチレン製であり、好ましくは高密度ポリエチレン製である。また、緩衝用スペーサ６としては、耐候性を向上させるために、カーボン（粉末）を配合したものを用いるのが好ましい。
【００１８】
このように構成された実施の形態に係る配管固定装置では、緩衝用スペーサ６に孔６ａ，６ｂが設けられ、この孔６ａ，６ｂにＵボルト１の脚部１ａ，１ｂが挿通されているので、緩衝用スペーサ６の脱落が防止される。また、本考案では、この緩衝用スペーサがポリエチレン製であるため、耐久性も良好である。
【００１９】
図２は、基材３がアングルあるいはチャンネルである場合の使用例を示している。アングルには、脚部１ａ，１ｂを通す孔３ａ，３ｂが設けられている。図３は、基材３がスリット３ｃを有したチャンネルである場合の使用例を示している。この場合、脚部１ａ，１ｂはスリット３ｃに挿通されている。
【００２０】
上記実施の形態は本考案の一例であり、本考案は図示以外の形態とされてもよい。本考案では、Ｕボルトの代りにＵバンドを用いてもよい。
【符号の説明】
【００２１】
１  Ｕボルト
１ａ，１ｂ  脚部
２  配管
３  脚部
３ａ，３ｂ  孔
４  ナット
５，６  緩衝用スペーサ
６ａ，６ｂ  孔
【図１】
0003195767.tif 000003
【図２】
0003195767.tif 000004
【図３】
0003195767.tif 000005
【図４】
0003195767.tif 000006
(57)【要約】      （修正有）【課題】文房具や携帯電話、様々な物入れ、日用品に貼って楽しむことができるオリジナルな手作りシ−ルを提供する。【解決手段】裏表のあるシ−ル基材２の片方の面に糊３がつけてあり、もう片方の面に様々な塗料、接着剤、石、ビ−ズなどを材料にして、刷毛や筆、ピンセット等を使って独自の装飾１を施し、カッタ−で切り抜く。【選択図】図１
0003195780.tif 000002
【実用新案登録請求の範囲】
【請求項１】
シ−ル基材に塗料、石、プラスチック、ガラス、金属、植物、接着剤を使って装飾を施し、独自のシ−ルを作ることを特徴とする手作りシ−ル
【考案の詳細な説明】
【技術分野】
【０００１】  本考案は、シ−ル基材に、塗料やビ−ズ、石などで、自分で装飾を施すシ−ルに関するものである。
【背景技術】
【０００２】  従来シ−ルは予め印刷されたものだった。
【考案の概要】
【考案が解決しようとする課題】
【０００３】  自分独自のオリジナルのシ−ルを提供する。
【課題を解決するための手段】
【０００４】  本考案は、ネイルや携帯電話を装飾するような手法で、シ−ル基材に塗料でデザイン画を描いたり、ビ−ズ、石を貼りつけたりして、カッタ−で切り抜く。
【考案の効果】
【０００５】  自分で作る、工夫する等、創造する楽しみを見付けだすことができる。また、作ったオリジナルなシ−ルを文房具や携帯電話、様々な物入れ、日用品に貼って楽しむことができる。タトゥ−として身体に貼ることもできる。
【図面の簡単な説明】
【０００６】
【図１】シ−ル基材に装飾したオリジナルシ−ル
【考案を実施するための形態】
【０００７】  シ−ル基材を用意し、そこに塗っていく塗料や、石、ビ−ズ、接着剤、刷毛、筆、ピンセット、カッタ−等を用意し独自のシ−ルを作れるように材料を整える。
【符号の説明】
【０００９】１  シ−ル基材の表面基材に装飾された図
２  シ−ル基材の表面基材
３  シ−ル基材の接着剤
４  剥離紙
【図１】
0003195780.tif 000003
【手続補正書】
【提出日】平成26年10月27日(2014.10.27)
【手続補正１】
【補正対象書類名】実用新案登録請求の範囲
【補正対象項目名】全文
【補正方法】変更
【補正の内容】
【実用新案登録請求の範囲】
【請求項１】
裏表のあるシ−ル基材の片方の面に糊がつけてあり、もう片方の面に独自の絵や文字を描けることを特徴とする手作りシ−ル。
(57)【要約】      （修正有）【課題】従来型の内照式照明看板をそのまま活かして、ＬＥＤ光源看板に改修し、エコで省エネのリサイクルを実現する照明看板用の付け替え光源ユニットを提供する。【解決手段】ＬＥＤモジュール３を配設しても適度の平面剛性を保てることを考慮した多くの孔２又は多くの切り欠きを有する板に、ＬＥＤモジュールを片面又は両面に配設したことを特徴とする。【選択図】図２
0003195790.tif 000002
【実用新案登録請求の範囲】
【請求項１】
ＬＥＤモジュールを配設しても適度の平面剛性を保てることを考慮した多くの孔又は多くの切り欠きを有する板に、前記ＬＥＤモジュールを片面又は両面に配設したことを特徴とする照明看板用の付け替え光源ユニット。
【考案の詳細な説明】
【技術分野】
【０００１】  本考案は内照式照明看板に用いられている蛍光灯や電球といった光源をＬＥＤ光源に切り換えることができる内照式照明看板用の付け替え光源ユニットに関する。
【背景技術】
【０００２】  従来、透過性の看板を内部から蛍光灯や電球の光で照らして発光させる内照式照明看板が知られる。
【考案の概要】
【考案が解決しようとする課題】
【０００３】  ＬＥＤ光源の普及により光の革命が起き、電球型文明からＬＥＤ光源文明に移行しようとしている。従来型の内照式照明看板をＬＥＤ光源看板に改修することは撤去と新設という多大な経費を必要とする。既設の看板をそのまま活かして、エコで省エネのリサイクルを実現しようとするものである。
【課題を解決するための手段】
【０００４】  そこで、ＬＥＤモジュールを配設しても適度の平面剛性を保てることを考慮した多くの孔又は多くの切り欠きを有する板に、前記ＬＥＤモジュールを片面又は両面に配設したことを特徴とする照明看板用の付け替え光源ユニットを提供しようとするものである。
【考案の効果】
【０００５】  既設の高価な内照式照明看板内部には様々な用途の部材がある。その部材の用途を無視して支持体として活かす発想から、エコで省エネのリサイクルを実現できた。すなわち、そのように見立てた支持体に堅めの針金を巻いて簡単に留めることができる。内照式照明看板をＬＥＤ光源看板に切り換えるための作業時間も手間も大きく省くことが可能になった。又、撤去と新設に係るダブルの経費が不要となる。
【図面の簡単な説明】
【０００６】
【図１】本考案の付け替え光源ユニットの正面図である。
【図２】本考案の付け替え光源ユニットの斜視図である。
【図３】従来の内照式照明看板を示す斜視図である。
【図４】本考案による切り換えの実施例を示す斜視図である。
【図５】付け替え完了の実施例を示す斜視図である。
【図６】本考案による切り換えの実施例を示す斜視図である。
【図７】一部を切り欠いて示す断面図であ。
【考案を実施するための形態】
【０００７】  大量に流通しているアルミ複合板に適切な間隔の孔を空けたものを以下、パンチングメタルと称して説明する。
適宜の縦横割付寸法からなるパンチングメタルの板面に、ＬＥＤモジュールを配設固定する。場合によっては、前記板面の表裏にＬＥＤモジュールを配設固定しても良い。
パンチングメタルの板面には、その板面が縦横に連続して平面的な広がりをもてるように連結止着可能な細工を施しても良い。例えば、想定される連結位置に連結用の小穴を穿設する。その互いの小穴同士を金物で緊締したり、或いは当て板部品を渡して両者を嵌着できる仕組みとしても良い。
【実施例】
【０００８】  以下、添付図面に従って本考案の一実施例を説明する。
図１において、１はパンチングメタルであり、２はパンチング孔であり、３は配線８で繋がれたＬＥＤモジュールであり、７はコネクタである。図２は図１の斜視図であり、１乃至３、及び７と８は図１と同じである。
ＬＥＤモジュール３をパンチングメタル１の片面に固着させた実施例を示す。ＬＥＤモジュール３から発する光は透過性の看板の裏側を内照式照明看板の内部から照らすことになる。【０００９】  図３は従来の内照式照明看板を示す斜視図であり、４は内照式看板本体である。５が蛍光管で６は支持体である。当該支持体は元々内照式照明看板内部に備わる用途の違う部材であってこれらを支持体として活用しようとするものである。【００１０】  図４は切り換えの実施例を示す斜視図であり、蛍光灯や電球の光で照らして発光させる内照式照明看板をＬＥＤ光源看板に切り換えるための創作過程を示した。
図４において、１と１′はそれぞれパンチングメタルであり、記号のダッシュはサイズの異なるパンチングメタルを表すものである。１ａと１ａ′もそれぞれパンチングメタルであり、記号のダッシュはサイズの異なるパンチングメタルを表し、アルファベットのａのあるなしはＬＥＤモジュールの構成上の態様の違いを表している。２はパンチング孔であり、３は配線８で繋がれたＬＥＤモジュールであり、７はコネクタである。４は内照式看板本体である。５が蛍光管で６は支持体である。
パンチングメタル１には、元々多くのパンチング孔２があいている。このパンチング孔２と支持体６を堅めの針金で縫い合わせることで、本考案による付け替え光源ユニットを内照式照明看板の中に留め付けるものである（図７参照）。図７に示す丸印は、前記両者を針金で縫い合わせる位置を例示するものである。【００１１】  図５は付け替え完了の実施例を示す斜視図であり、１と１′及び１ａと１ａ′並びに２乃至４と７乃至８は図４の説明と同じである。
尚、パンチングメタル１ａと１ａ′に配設されたＬＥＤモジュール３は、パンチングメタル１と１′とは配線８で繋がれたＬＥＤモジュール３の態様が異なり、前記１ａと１ａ′には電源に繋がる配線があることを図示している。【００１２】  図６は内照式照明看板をＬＥＤ光源看板に切り換えるための他の創作過程を実施例で示した。図６の場合蛍光管５は撤去した状態を示している。この場合、蛍光管５を除く他の部材（内照式照明看板内にある）を支持体として活用しようとするものである。
尚、図６においては裏側にもＬＥＤモジュール付きのパンチングメタルを配設した実施例である。この場合、内照式看板は表裏両面で発光することになる。【００１３】  １      パンチングメタル
１′    パンチングメタル
１ａ    パンチングメタル
１ａ′  パンチングメタル
２      パンチング孔
３      ＬＥＤモジュール
４      内照式看板本体
５      蛍光管
６      支持体
７      コネクタ
８      配線
【図１】
0003195790.tif 000003
【図２】
0003195790.tif 000004
【図３】
0003195790.tif 000005
【図４】
0003195790.tif 000006
【図５】
0003195790.tif 000007
【図６】
0003195790.tif 000008
【図７】
0003195790.tif 000009
(57)【要約】      （修正有） 【課題】使用時の転倒、移動を防止できる散水用ホースリールを提供する。【解決手段】散水用ホースリール３の接地面から下方に垂直にロッド１を設け、地面４には、このロッドがスムーズに抜き差しできる内径のホール２を設ける。【選択図】図３
0003195787.tif 000002
【実用新案登録請求の範囲】
【請求項１】
散水用ホースリールの設置面から下方に垂直にロッドを設け、このロッドがスムーズに抜き差しできる内径のホールを地面に垂直に設けた、転倒しないホースリール。
【考案の詳細な説明】
【技術分野】
【０００１】
散水用ホースリールを使用する場合の転倒、移動防止に関するものである。
【背景技術】
【０００２】
従来の散水用ホースリールは通常地面上に置いて使用していた。
【先行技術文献】
【特許文献】
【０００３】
【特許文献１】特開平９−２５５２３６
【考案の概要】
【考案が解決しようとする課題】
【０００４】
地面上に置いて使用するタイプの場合、ホースの引き出し時やホースの引っ張る方向によっては、ホースリールが転倒したり移動して使い難いことがあった。特に小型軽量のものは顕著である。これらの問題はホースリールを大型で重いものにすれば解決するが、一般家庭用としては取り扱いが困難であり、且つ必要以上に大きいものは不経済でもある。
【課題を解決するための手段】
【０００５】
ホースリールの下部に下方に向かって垂直に一本の円柱状のロッドを設ける。一方、地中にこのロッドがスムーズに抜き差しできる程度の嵌め合いのパイプを埋め込みホールとする。
【考案の効果】
【０００６】
ホースリールに設けたロッドを、地面に布設したホールに差し込むだけで、どんなに小型軽量のホースリールも転倒することもなく快適に使用できる。一般家庭用としてはホースの内径が６ミリもあれば充分な水量が得られ、又ホースの長さも１５メートルもあれば充分である。このような仕様でホースリールを製作すれば従来のホースリールより更に小型軽量化を進めることができる。その結果持ち運びが楽になり、なお且つ省資源による低価格が実現でき、ごみ減量にも繋がる。なおロッドを着脱式にすれば、はずした場合は、従来通りのホースリールとして使用することもできる。
【図面の簡単な説明】
【０００７】
【図１】ホースリールにロッドを取り付けた下方からの斜視図の一例
【図２】箱型をしたホースリールにロッドを取り付けた下方からの斜視図の一例
【図３】図1のホースリールを使った場合の使用説明図
【考案を実施するための形態】
【０００８】
散水用ホースリールは長いホースを巻き取っておく為の器具であり、種々の形状をしたホースリールが市販されている。そしてこれらのほとんどが地面上に置いて使用する形態である。本考案はこれらのホースリールの接地面から下方に垂直に直径15ミリ前後、長さ約100ミリ程度の金属製、又は樹脂製のロッドを設ける。一方このホースリールを設置する地面に、このホースリールのロッドがスムーズに抜き差しできるホールを設ける。このホールは塩ビパイプ等を利用して地表面から垂直にロッドが根元まで挿入できる程度の長さを埋め込み固定してホールとする。このホールは必要ない時はキャップをかぶせて砂利等の流入を防ぐ。
【産業上の利用可能性】
【０００９】
この考案はロッド付きのホースリールと、地面に布設されたホールとの組み合わせにより効果を発揮するものである。従ってロッド付きのホースリールだけではなんの役にも立たない。それ故本考案の普及の鍵はホールの布設にあると思われる。この布設の方法には二通りあり、その一は、この考案のホースリールを購入した人自身がホールを作成する場合、その二は新築工事時に散水栓ボックスや水栓柱工事の一環として成される場合が考えられる。この後者の場合はホールの工事費も百円前後と新築工事費から比べれば微々たるものであるため、この方法が普及すれば一気に広がる可能性がある。そしてどこの住宅にもホールが布設されているようになればロッド付きのホースリールを購入して即利用することができる。
【符号の説明】
【００１０】
１    ロッド
２    地面にパイプを埋め込んだホール
３    ホースリール本体
４    地面
５    キャップ
【図１】
0003195787.tif 000003
【図２】
0003195787.tif 000004
【図３】
0003195787.tif 000005
(57)【要約】      （修正有）【課題】釣り用スピナーを使用した釣りを行う時、使い易く誰でも簡単に良好な釣果を出せ、また釣果を期待できる釣り用スピナーを提供する。【解決手段】本体中央を通すシャフトＢに前方回転集魚板Ｄの圧力を受けるクランク状の曲げＧを回転集魚板と回転集魚板の間に設ける。【選択図】図１
0003195781.tif 000002
【実用新案登録請求の範囲】
【請求項１】
釣り用スピナーの本体中央を通るシャフトにクランク状の圧力受けとなる曲げを、回転集魚板と回転集魚板の間に設けた釣り用スピナー。
【考案の詳細な説明】
【技術分野】
【０００１】本考案は釣り用ルアーのスピナーに対し構造上の弱点を補うものである。
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来型の釣り用スピナーは中央にある一本のシャフトに回転集魚板及び回転集魚板連結具と本体となる集魚用のビーズと重りを通し最後尾に釣り針を連結していた。
このため従来型のスピナーでは回転集魚板の回転により生じる慣性力によって本体が回転してしまい糸よれの原因となり、また集魚効果を狙い回転集魚板を増設すると、進行方向前側の回転集魚板により生じた圧力が後ろ側の回転集魚板連結具を圧迫してしまい二枚目以降の回転を阻害し複数枚の運用は事実上不可能なものにしていた。
本考案は釣り用スピナーに対し構造上の弱点を取り除き設計上の自由度の向上を図ると共に使用時の煩わしさを取り除くものである。
【課題を解決するための手段】
【０００６】複数枚の回転集魚板を設置する時に本体中央を通すシャフトに回転集魚板が発生させる圧力を受けるクランク状の曲げを回転集魚板と回転集魚板の間に設け、進行方向前側の回転集魚板が後ろ側の回転集魚板連結具を圧迫しないようにする。
【考案の効果】
【０００７】中央を通すシャフトに前方の回転集魚板で発生した圧力を受けるクランク状の曲げを設けたことにより、前方回転集魚板からの圧力がなくなり二枚目以降の回転集魚板の増設が容易となった。
このことにより、より高い集魚効果と釣課を得ることができた。
また、上記構造により回転集魚板を前後で逆回転させることも可能となり回転慣性力が相殺され、運用中本体の回転を止めることができ、糸よれも解消できた。
さらに副産物として釣り針の向きを一定に保つという効果も得られた。
【図面の簡単な説明】
【０００８】
【図１】  側面図
【図２】  シャフト側面図
【考案を実施するための形態】
【０００９】本体中央を通すシャフトに回転集魚板の圧力を受けるクランク状の曲げを回転集魚板と回転集魚板の間に設ける。
【実施例】
【００１０】  図１参照
【産業上の利用可能性】
【００１１】
【符号の説明】
【００１２】（図１）
側面図
Ａ    ライン結束孔
Ｂ    シャフト
Ｃ    回転集魚板連結具
Ｄ    回転集魚版
Ｅ    本体集魚用ビーズ
Ｆ    本体重り
Ｇ    クランク圧力受け
Ｈ    釣り針連結孔
（図２）
シャフト側面図
Ａ    ライン結束孔
Ｂ    シャフト
Ｇ    クランク圧力受け
Ｈ    釣り針連結孔
【図１】
0003195781.tif 000003
【図２】
0003195781.tif 000004
(57)【要約】      （修正有）【課題】裏布を使用することなく折り曲げなどに対する強度を保持し、しかもリバーシブルとして使用できる紙バンドシートを提供する。【解決手段】撚り紙紐１の複数本を並列接着した紙バンド２を形成し、この紙バンド２の複数本を並列接着した、表側紙バンドシート本体３と、表側紙バンドシート本体３の互いの紙バンド２が交差するよう合わせ接着してなる紙バンドシートである。【選択図】図１
0003195710.tif 000002
【実用新案登録請求の範囲】
【請求項１】
撚り紙紐の複数本を並列接着した紙バンドを形成し、この紙バンドの複数本を並列接着した、表側紙バンドシート本体と、表側紙バンドシート本体の互いの紙バンドが交差するよう合わせ接着してなる紙バンドシート。
【考案の詳細な説明】
【技術分野】
【０００１】
本考案は、複数本の撚り紙紐を並列接着した紙バンドの複数本を張り合わせた紙バンドシートに関する。
【背景技術】
【０００２】
従来この種の紙バンドシートとしては、本件出願人の考案に係わる実用新案登録第３１４８６７６号考案のように、撚り紙紐の複数本を並列接着した紙バンドを並列させ、裏面に裏布を貼り合わせるとともに隣接する紙バンド間には継ぎ布を裏布とともに逢着させた紙紐シートを完成している。然しながらこの考案の場合裏布継ぎ布を逢着したとはいえ、これを手芸や壁紙などの建設現場等で折り曲げ加工をする場合にはどうしても紙バンド間に割れ目が出来やすく見た目が悪いと共に経年変化が起こりやすく使用勝手が悪い欠点がある。
【考案の開示】
【考案が解決しようとする課題】
【０００３】
そこで本考案紙バンドシートは、撚り紙紐の複数本を並列接着した紙バンドを並列させることは前記考案と同じであるが、裏布を使用することなく折り曲げなどに対する強度を保持し、しかもリバーシブルとして使用できる紙バンドシートを提供しようとするものである。
【課題を解決するための手段】
【０００４】
撚り紙紐の複数本を並列接着した紙バンドを形成し、この紙バンドの複数本を並列接着した、表側紙バンドシート本体と、表側紙バンドシート本体の互いの紙バンドが交差するよう合わせ接着してなるものである。
【考案の効果】
【０００５】
本考案の効果として、表、裏側紙バンドシート本体を構成する紙バンドは互いに交差しているので折り曲げに際し、その折り曲げの外側曲面に略沿った形で表（裏）側紙バンドシート本体の紙バンドの長さ方向を合わせるようにすれば、紙バンド間に割れ目を生じることが可及的に少なくなる。即ち外側曲面方向に表側紙バンドシート本体の紙バンドの長さ方向を一致させ或いはそれに近い状態に合わせれば表側に位置する紙バンド間に割れ目の生ずる恐れは殆どなく、逆に折り曲げた時の裏側紙バンドシート本体の内側曲面の隣接する紙バンド同志は互いに寄せられ密接状態となってより強固になる。又リバーシブルに使用できるので応用範囲が広くなる。さらに廃棄処理に際しても原材料は紙であるため公害の発生は少ない。
【実施例】
【０００６】
本案を図示の実施例により詳記すると、撚り紙紐１、１…の複数本を並列接着して紙バンド２，２…を形成し、この紙バンド２の複数本を並列接着して表側紙バンドシート本体３を形成し、この紙バンドシート本体３と、該紙バンドシート本体３の紙バンド２と交差するよう別途紙バンド２を並列接着した裏側紙バンドシート本体４とを互いに合わせ接着してなるものである。撚り紙紐１の太さは略１ｍｍ前後で、紙バンド２の幅は略５〜３５ｍｍ位で、実際の製造に際しては表側紙バンドシート本体３となる数本の紙バンド２，２に、直角方向に裏側紙バンドシート本体４となる数本の同色或いは異色の紙バンド２、２を合わせ接着し、順次互いの紙バンドシート本体の面積を広げていく。互いの紙バンドシート本体の紙バンド２，２の交差角度は使用目的により任意に変更してもよい。撚り紙紐１、紙バンド２の色、太さや幅等任意に決めることができる。
【０００７】
本案の紙バンドシートを手芸用として使用するには所定形状に裁断し、必要なときには裁断端に解れ止め加工等をしたり、必要によっては蒸気アイロン等を使用して平面状にのしたりして壁紙などの建築などに使用することができる。
【図面の簡単な説明】
【０００８】
【図１】本考案に係る紙バンドシートの表面図
【図２】同裏面図
【図３】本考案紙バンドシートを製造する工程説明図
【符号の説明】
【０００９】
１：撚り紙紐
２、２：紙バンド
３：表側紙バンドシート本体
４：裏側紙バンドシート本体
【図１】
0003195710.tif 000003
【図２】
0003195710.tif 000004
【図３】
0003195710.tif 000005
(57)【要約】      （修正有）【課題】使用時に地面からの照り返しがなく前方が見やすく、また収納しやすいサンバイザーを提供する。【解決手段】日除け部分の中央に縦の折り目を入れる。半分にたためるため収納が簡単になり、なおかつ日除け部分が湾曲でなく折り目により鋭角となることで日光の照り返しを防止できる。【選択図】図１
0003195993.tif 000002
【実用新案登録請求の範囲】
【請求項１】
サンバイザーの中央に縦の折り目を入れて半分にたためるようにし、なおかつ着用時に地面からの照り返しがサンバイザーの裏側に当たらないようにする点
【考案の詳細な説明】
【技術分野】
【０００１】
本考案は従来のサンバイザーでは地面の照り返しなどが発生していたものを防止するためのサンバイザーの形状に関する考案です。
【背景技術】
【０００２】
従来のサンバイザーは前面部分が湾曲しているので地面からの照り返しがバイザーの内側に当たって前が見づらくなる。
また、折りたたむことができないためバッグなどにしまえない。
【考案の概要】
【考案が解決しようとする課題】
【０００３】
サンバイザー使用時に地面からの照り返しで前方が見づらくなる
サンバイザーの形状から出先での収納などに困る
【課題を解決するための手段】
【０００４】
サンバイザーに折り目を付けて内側に反射しないようにした
サンバイザーが折り目でたためるようになった
【考案の効果】
【０００５】
従来のサンバイザーの湾曲の照り返しがなくなり、前方が見やすくなった
また、折り目で折りたたむことができ、バッグなどにしまいやすくなった
【図面の簡単な説明】
【０００６】
【図１】製品の外観です。簡単な作りにして大量生産しやすいデザインにしました。
【考案を実施するための形態】
【０００７】
サンバイザー製造業や販売業に製造・販売を代行させる
【実施例】
【０００８】
サンバイザー製造業者および販売業者へプレゼンテーションを行う
【産業上の利用可能性】
【０００９】
従来のサンバイザーを少し改良するだけなので従来の製造ラインで製造できる
従来のサンバイザーと同様に使用できる
【図１】
0003195993.tif 000003
【手続補正書】
【提出日】平成26年7月29日(2014.7.29)
【手続補正１】
【補正対象書類名】実用新案登録請求の範囲
【補正対象項目名】全文
【補正方法】変更
【補正の内容】
【実用新案登録請求の範囲】
【請求項１】
日除け部分の中央に縦の折り目を入れることで半分にたためるようにして収納が簡単になり、なおかつ日除け部分が従来の湾曲でなく折り目により鋭角となることで日光の照り返しを防止することができることを特徴とするサンバイザー。
【手続補正２】
【補正対象書類名】図面
【補正対象項目名】全図
【補正方法】変更
【補正の内容】
【図１】
0003195993.tif 000004
【手続補正書】
【提出日】平成26年10月20日(2014.10.20)
【手続補正１】
【補正対象書類名】図面
【補正対象項目名】全図
【補正方法】変更
【補正の内容】
【図１】
0003195993.tif 000005
(57)【要約】      （修正有）【課題】カメラによる撮影やインターネットへの接続を伴わずに効果測定可能かつ測定データを視覚的に表示できる電子看板装置を提供する。【解決手段】電子看板の操作入力情報をコンピュータ３内で蓄積し、操作情報の出力指示があった場合に、コンピュータ３内で蓄積されている操作情報をヒートマップデータへ加工し、映像出力装置１へ出力する。また同時にヒートマップデータを画像ファイルに変換してコンピュータ３内に保存する。【選択図】図１
0003195996.tif 000002
【実用新案登録請求の範囲】
【請求項１】
映像出力装置とコンピュータを含む電子看板装置であって、前記映像出力装置が接触操作されたことを検知する操作検知部と、前記操作検知部で検知された結果に基づいてヒートマップ情報を表示する情報表示部を有する電子看板装置。
【請求項２】
カメラによる撮影を行わずに効果測定が可能な請求項１に記載の電子看板装置。
【請求項３】
インターネット等ネットワーク接続を必要とせず効果測定が可能な請求項１又は２に記載の電子看板装置。
【考案の詳細な説明】
【技術分野】
【０００１】本考案は電子看板の効果測定とその表示に関する電子看板装置である。
【背景技術】
【０００２】従来の電子看板の効果測定では、カメラによる撮影や、インターネット接続が必要とされていた。【０００３】従来方式の電子看板の効果測定では、カメラによる撮影でのプライバシーの侵害や、インターネット接続によるセキュリティの問題があった。
【先行技術文献】
【０００４】
【特許文献１】実用新案登録第３１８１６８２号
【考案の概要】
【考案が解決しようとする課題】
【０００５】カメラによる撮影やインターネットへの接続を伴わずに効果測定可能な電子看板装置を構成すること。【０００６】効果測定データを視覚的に解りやすく表示できる電子看板装置を構成すること。
【課題を解決するための手段】
【０００７】上記課題を解決するために、電子看板の操作入力情報を端末内で蓄積し、操作情報の出力指示があった場合に、端末内で蓄積されている操作情報をヒートマップデータへ加工し、映像出力装置と画像ファイルへ出力する。
【考案の効果】
【０００８】電子看板の効果測定を行う上で今まで必須条件だったカメラによる撮影やインターネット接続を必要なくした事により、プライバシー侵害や不正アクセスなどのセキュリティを気にせずに電子看板の効果測定が行える。
【図面の簡単な説明】
【０００９】
【図１】本考案を実施するための最良の構成図である。
【考案を実施するための形態】
【００１０】以下、本考案の実施の形態を図に基づいて説明する。
【実施例】
【００１１】図１はヒートマップ付電子看板装置の実施例である。
コンピュータ３に電子看板コンテンツをコピーし、映像出力装置とコンピュータ３を映像伝送ケーブル４で接続し、コンピュータ３より電子看板コンテンツを映像出力装置１に出力する。
タッチパネル２で電子看板コンテンツの操作が行われると、操作情報はコンピュータ３に蓄積される。
操作情報出力操作が行われると、コンピュータ３は操作情報をヒートマップデータへ加工を行い、映像出力装置１へ出力する、また同時にヒートマップデータを画像ファイルに変換し画像ファイルとしてコンピュータ３内に保存する。
【産業上の利用可能性】
【００１２】カメラ、ネットワーク接続利用しての効果測定が行えない条件下での電子看板の導入利用の促進である。
【符号の説明】
【００１３】１  映像出力装置
２  タッチパネル式入力装置
３  コンピュータ
４  映像伝送ケーブル
５  操作検知部
６  情報表示部
【図１】
0003195996.tif 000003
【手続補正書】
【提出日】平成26年11月18日(2014.11.18)
【手続補正１】
【補正対象書類名】実用新案登録請求の範囲
【補正対象項目名】全文
【補正方法】変更
【補正の内容】
【実用新案登録請求の範囲】
【請求項１】
映像出力装置とコンピュータを含む電子看板装置であって、前記映像出力装置が接触操作されたことを検知する操作検知部と、前記操作検知部で検知された結果に基づいてヒートマップ情報を表示する情報表示部を有する電子看板装置。